(57)【特許請求の範囲】
【請求項１】
吸収体を有する内装体と、胴周り開口部及び一対の脚周り開口部を有する外装体とを備え、丈方向、周囲方向及び厚さ方向を有する、パンツ型の吸収性物品であって、
前記吸収性物品が、前記一対の脚周り開口部の間のクロッチ領域と、当該クロッチ領域の前記丈方向の上側に隣接し且つ前記周囲方向に一周する胴周り領域とに区画され、
前記外装体が、前記胴周り領域に、肌当接面を形成する内側シートと、外側シートと、前記内側シート及び外側シートの間の中間シートとを備え、
前記外側シートが、前記胴周り開口部のところで、前記内側シートから折り返されており、前記中間シートが、前記内側シートの、前記胴周り開口部を形成する端縁と反対側の端縁のところで、前記内側シートから折り返されており、
前記内装体の前方及び後方の端部が、少なくとも前記胴周り開口部を形成する端縁と反対側の端縁を含む端部で、前記中間シート又は前記内側シートに固定されている、
ことを特徴とする、前記吸収性物品。
【請求項２】
前記外側シート、内側シート及び中間シートが、単一のシートからなる、請求項１に記載の吸収性物品。
【請求項３】
前記外装体が、前記外側シート及び前記内側シートの間の、前記周囲方向に延びる上側伸縮部と、前記内側シート及び前記中間シートの間の、前記周囲方向に延びる下側伸縮部とを備え、
前記外装体が、前記下側伸縮部と、前記外側シートとが連結していない非連結部を有し、
前記吸収性物品が、前記内装体の前方及び後方の端部を、前記外装体の前記内側シートに固定する、一対の内側シート固定部を有する、
請求項１又は２に記載の吸収性物品。
【請求項４】
前記吸収性物品が、腹側部及び背側部と、前記胴周り開口部及び一対の脚周り開口部との間に、前記腹側部及び背側部を接合している一対の接合部を有する、請求項３に記載の吸収性物品。
【請求項５】
前記内側シートが、前記吸収性物品の両側部且つ前記腹側部及び背側部に含まれる範囲内に、前記下側伸縮部を少なくとも有し、前記外装体が、前記範囲内に、前記周囲方向に延びる前記非連結部を含む、請求項４に記載の吸収性物品。
【請求項６】
前記外装体が、前記外側シート及び前記内側シートが、前記内側シート固定部と、前記厚さ方向に重複する範囲において、直接又は間接的に連結している連結部を有する、請求項３〜５のいずれか一項に記載の吸収性物品。
【請求項７】
前記腹側部及び背側部において、前記内側シートが、前記上側伸縮部を除いて、前記外側シートに接合されていない、請求項４又は５に記載の吸収性物品。
【請求項８】
前記胴周り領域において、前記一対の内側シート固定部により、前記内装体の前記吸収体が、前記下側伸縮部に固定されている、請求項３〜７のいずれか一項に記載の吸収性物品。
【請求項９】
前記下側伸縮部と、前記吸収体とが、前記厚さ方向に重複する範囲における、前記下側伸縮部の収縮力が、前記下側伸縮部と、前記吸収体とが、前記厚さ方向に重複しない範囲における、前記下側伸縮部の収縮力よりも弱い、請求項８に記載の吸収性物品。
【請求項１０】
前記吸収性物品が、前記内装体を前記外側シートに固定する外側シート固定部を有し、前記一対の内側シート固定部のそれぞれと、前記外側シート固定部とが、離間している、請求項３〜９のいずれか一項に記載の吸収性物品。
【請求項１１】
前記外側シートの、前記下側伸縮部と、前記厚さ方向に重複する部分が、前記下側伸縮部よりも収縮しにくい、請求項３〜１０のいずれか一項に記載の吸収性物品。
【請求項１２】
前記吸収性物品が、前記内装体を、前記内装体の長手方向の両方の端部が、前記外装体の前記外側シート及び前記中間シートの間に配置され、前記中間シートに固定されるように備えている、請求項１〜１１のいずれか一項に記載の吸収性物品。
【請求項１３】
前記吸収性物品が、前記内装体を、前記内装体の長手方向の少なくとも一方の端部が、前記外装体の前記内側シートよりも内側に存在するように備えている、請求項１〜１１のいずれか一項に記載の吸収性物品。
【請求項１４】
前記外側シートが模様を有する、請求項１〜１３のいずれか一項に記載の吸収性物品。
【請求項１５】
請求項３〜１１のいずれか一項に記載の吸収性物品の製造方法であって、
単一のシートを、前記下側伸縮部を構成する下側弾性部材を間に挟んで折り畳むことにより、前記シートに、前記中間シートを画定するとともに、前記下側伸縮部を形成するステップ、そして
前記下側伸縮部を有するシートを、前記上側伸縮部を構成する上側弾性部材を間に挟んで折り畳むことにより、前記下側伸縮部を有するシートに、前記内側シート及び外側シートを画定するとともに、前記上側伸縮部を形成するステップ、
を含むことを特徴とする、前記製造方法。
【発明の詳細な説明】
【技術分野】
【０００１】
本開示は、パンツ型の吸収性物品、及びパンツ型の吸収性物品の製造方法に関する。
【背景技術】
【０００２】
パンツ型の吸収性物品として、例えば、使い捨ておむつ、使い捨てショーツ等が知られている。
例えば、特許文献１には、腹側外装シートの両側部と、背側外装シートの両側部とが接合されて形成された筒状の胴回り部と、前記腹側外装シート内面の幅方向中央部から前記背側外装シート内面の幅方向中央部までにわたり設けられた、排泄物を吸収する内装体とを備え、前記腹側外装シートと背側外装シートとが股間側で連続しておらず、離間されているパンツ型使い捨ておむつにおいて、前記腹側外装シート及び背側外装シートは、前記接合されるサイドシール部と同じ上下方向範囲に、上側から順にウエスト側端部、胴回り上端部、胴回り中間部、及び胴回り下端部を有しており、前記腹側外装シート及び背側外装シートの少なくとも一方は；前記ウエスト側端部及び胴回り下端部が、複数層のシート状通気性資材の貼り合わせにより形成されるとともにそれらシート状通気性資材間に弾性伸縮部材が幅方向に沿って伸張した状態で挟持固定されており、且つ前記胴回り上端部及び胴回り中間部の少なくとも一方が、単層のシート状通気性資材からなり、弾性伸縮部材及びこれを固定するための接着剤を有していないことを特徴とするパンツ型使い捨ておむつが記載されている。
【０００３】
また、特許文献２には、互いに対向する前後胴周り域の間に股下域が位置し、それら胴周り域の縦方向へ延びる胴周り側部が連結されて胴周り開口と一対の脚周り開口とが画成されたパンツと、前記パンツの内側に取り付けられて前記股下域から前記前後胴周り域へ向かって延びる液吸収性インナーパネルとから構成され、前記パネルが、肌当接側に位置する透液性の表面シートと、肌非当接側に位置する実質的に不透液性の裏面シートと、それらシートの間に介在する吸液性コアとから形成されたパンツ型の使い捨て着用物品において、胴周り方向へ伸縮することが可能な帯状の補助シートが、前記パンツと前記パネルとの間に介在して前記前後胴周り域のうちの少なくとも一方を前記胴周り方向へ延び、前記補助シートが、前記胴周り開口の側を前記胴周り方向へ延びる上端部と、前記股下域の側を前記胴周り方向へ延びていて前記パネルの縦方向中央部へ向かって実質的に弧を画く下端部と、前記前後胴周り域の胴周り側部を前記縦方向へ延びる両側部とを有し、前記補助シートでは、前記下端部の胴周り方向中央部分が前記パネルに固着され、該補助シートを前記胴周り方向へ伸長させた状態で前記両側部が前記パンツの胴周り側部に固着され、前記パネルでは、その縦方向端部が前記補助シートの下端部を前記縦方向へ越えた位置で該補助シートに固着されていることを特徴とする前記着用物品が記載されている。
【０００４】
特許文献１に記載の着用物品では、胴周り開口と一対の脚周り開口とが画成されたパンツと、液吸収性インナーパネルとの間に「補助シート」が介在し、液吸収性インナーパネルが補助シートに固着されるととともに、補助シートが、上記パンツの「胴周り側部」に固着されている。その結果、上記着用物品では、パネルの縦方向中央部を着用者の股間部に密着させることができ、そして補助シートが縦方向へ伸長することはなく、補助シートがパンツを着用者の胴部からずり下げるように作用しないことが特許文献１に記載されている。
【先行技術文献】
【特許文献】
【０００５】
【特許文献１】特開２０００−１６０１２９号公報
【特許文献２】特開２００３−１２６１４８号公報
【発明の概要】
【発明が解決しようとする課題】
【０００６】
しかし、特許文献１に記載のパンツ型使い捨ておむつでは、図５に示されるように、ウエスト側折返し部分２１の端縁が、使い捨ておむつの内面に露出しているため、着用時に、当該端縁が着用者の皮膚と接触し、着用者の皮膚がかぶれる恐れがあり、そして着用者の動きによって、上記端縁が捲れ上がった場合には、吸収体に含まれる高吸収性ポリマー、ウエスト側折返し部分２１を固定するための接着剤等が着用者の皮膚に触れる恐れがある。
【０００７】
また、特許文献２に記載の着用物品では、補助シートが、パンツの「胴周り側部」のみに固着されていることから、利用者が、上記着用物品の胴周り開口を拡げると、一対の脚周り開口以外に、パンツと、補助シートとの間の開口が見え、着用者の脚をどこに入れるべきか判断付きにくく、はきやすさの観点から改善の余地があった。
従って、本開示は、はきやすく、そして吸収性物品を構成するシートの端縁が着用者に触れにくいので、着用感に優れる吸収性物品を提供することを目的とする。
【課題を解決するための手段】
【０００８】
本開示者らは、吸収体を有する内装体と、胴周り開口部及び一対の脚周り開口部を有する外装体とを備え、丈方向、周囲方向及び厚さ方向を有する、パンツ型の吸収性物品であって、上記吸収性物品が、上記一対の脚周り開口部の間のクロッチ領域と、当該クロッチ領域の上記丈方向の上側に隣接し且つ上記周囲方向に一周する胴周り領域とに区画され、上記外装体が、上記胴周り領域に、肌当接面を形成する内側シートと、外側シートと、上記内側シート及び外側シートの間の中間シートとを備え、上記外側シートが、上記胴周り開口部のところで、上記内側シートから折り返されており、上記中間シートが、上記内側シートの、上記胴周り開口部を形成する端縁と反対側の端縁のところで、上記内側シートから折り返されていることを特徴とする吸収性物品を見出した。
【発明の効果】
【０００９】
本開示のパンツ型の吸収性物品は、はきやすく、そして吸収性物品を構成するシートの端縁が着用者に触れにくいので、着用感に優れる。
【図面の簡単な説明】
【００１０】
【図１】図１は、第１実施形態に従う、パンツ型の吸収性物品１の腹側部５側の斜視図である。
【図２】図２は、第１実施形態に従う、パンツ型の吸収性物品１の背側部６側の斜視図である。
【図３】図３は、図１のＩＩＩ−ＩＩＩ端面における端面図である。
【図４】図４は、第１実施形態に従う、パンツ型の吸収性物品１の外面の展開図である。
【図５】図５は、第１実施形態に従う、パンツ型の吸収性物品１の内面の展開図である。
【図６】図６は、下側弾性部材３０の収縮性を説明するための図である。
【図７】図７は、図４のＶＩＩ−ＶＩＩ端面における端面図である。
【図８】図８は、第１実施形態に従う、パンツ型の吸収性物品１における、内側シート固定部３１及び外側シート固定部３３を説明するための図である。
【図９】図９は、第２実施形態に従う、パンツ型の吸収性物品１を説明するための図である。
【図１０】図１０は、第３実施形態に従う、パンツ型の吸収性物品１を説明するための図である。
【図１１】図１１は、第４実施形態に従う、パンツ型の吸収性物品１の製造方法を説明するための図である。
【図１２】図１２は、従来のパンツ型の吸収性物品３０１の腹側部３０５側の斜視図である。
【図１３】図１３は、従来のパンツ型の吸収性物品３０１の背側部３０６側の斜視図である。
【発明を実施するための形態】
【００１１】
［定義］
・「上側」及び「下側」
本明細書では、「上側」及び「下側」は、２つの比較すべき構成部材について用いられる用語であり、そしてそれぞれ、丈方向の上側及び下側を意味する。例えば、上側伸縮部は、下側伸縮部と比較して、丈方向の上側に配置されていることを意味し、そして下側伸縮部は、上側伸縮部と比較して、丈方向の下側に配置されていることを意味する。
・「下方」
本明細書では、「下方」は、丈方向の下方を意味する。
・「上端」及び「下端」
本明細書では、「上端」及び「下端」は、それぞれ、上述の上方の端部及び下方の端縁を意味する。
・「上端領域」及び「下端領域」
本明細書では、「上端領域」及び「下端領域」は、それぞれ、上述の上端を含む領域及び下端を含む領域を意味する。
【００１２】
・「外側」及び「内側」
本明細書では、「外側」及び「内側」は、２つの比較すべき構成部材について用いられる用語であり、それぞれ、着用時を基準として、着用者の肌から遠い側及び着用者の肌に近い側を意味する。例えば、外側シートは、内側シートと比較して、着用時を基準として、着用者側から遠い側に配置されているシートを意味し、そして内側シートは、外側シートと比較して、着用時を基準として、着用者側に近い側に配置されているシートを意味する。
【００１３】
・「前方」及び「後方」
本明細書では、「前方」及び「後方」は、２つの比較すべき構成部材について用いられる用語であり、それぞれ、着用時を基準として、着用者の前方及び後方を意味する。例えば、内装体の前方の端部及び後方の端部は、それぞれ、着用者の前方の端部及び後方の端部を意味する。
【００１４】
・「腹側部」、「背側部」及び「接合部」
本明細書では、「腹側部」及び「背側部」と、それらを接合している「接合部」とは区別される。従って、例えば、吸収性物品の外装体が、腹側部及び背側部の全領域において、内側シートの下側伸縮部と、外側シートとが連結していない、周囲方向に延びる非連結部を有する実施形態では、腹側部及び背側部の接合部において、内側シートの下側伸縮部に由来する部分と、外側シートに由来する部分とが連結されていてもよい。
【００１５】
本開示は、以下の態様に関する。
［態様１］
吸収体を有する内装体と、胴周り開口部及び一対の脚周り開口部を有する外装体とを備え、丈方向、周囲方向及び厚さ方向を有する、パンツ型の吸収性物品であって、
上記吸収性物品が、上記一対の脚周り開口部の間のクロッチ領域と、当該クロッチ領域の上記丈方向の上側に隣接し且つ上記周囲方向に一周する胴周り領域とに区画され、
上記外装体が、上記胴周り領域に、肌当接面を形成する内側シートと、外側シートと、上記内側シート及び外側シートの間の中間シートとを備え、
上記外側シートが、上記胴周り開口部のところで、上記内側シートから折り返されており、上記中間シートが、上記内側シートの、上記胴周り開口部を形成する端縁と反対側の端縁のところで、上記内側シートから折り返されている、
ことを特徴とする、上記吸収性物品。
【００１６】
上記吸収性物品の外装体では、外側シート及び中間シートのそれぞれが、内側シートから折り返された状態にあるので、外側シート、内側シート及び中間シートの端縁が着用者に触れにくいので、着用感に優れる。また、上記吸収性物品の外装体では、外側シート及び中間シートのそれぞれが、内側シートから折り返された状態にあるので、着用時に、それらの端縁が捲れ上がりにくく、もともと、吸収性物品の表面に存在していなかった化学系成分、例えば、それらの資材を固定している接着剤、吸収体に含まれる高吸収性ポリマー等の成分が、着用者に直接触れにくい。さらに、上記吸収性物品では、利用者が、胴周り開口部を拡げた際に、着用者の脚を入れるべき一対の脚周り開口部を明確に認識できるので、上記吸収性物品は、はきやすさに優れる。
【００１７】
［態様２］
上記外側シート、内側シート及び中間シートが、単一のシートからなる、請求項１に記載の吸収性物品。
上記吸収性物品では、外側シート、内側シート及び中間シートが、単一のシートからなるので、それらの端縁が、着用者に触れにくく、着用感に優れる。また、それらの端縁が捲れ上がりにくいので、もともと、吸収性物品の表面に存在していなかった化学系成分が、着用者に直接触れにくい。
【００１８】
［態様３］
上記外装体が、上記外側シート及び上記内側シートの間の、上記周囲方向に延びる上側伸縮部と、上記内側シート及び上記中間シートの間の、上記周囲方向に延びる下側伸縮部とを備え、
上記外装体が、上記下側伸縮部と、上記外側シートとが連結していない非連結部を有し、
上記吸収性物品が、上記内装体の前方及び後方の端部を、前回外装体の上記内側シートに固定する、一対の内側シート固定部を有する、
請求項１又は２に記載の吸収性物品。
【００１９】
上記吸収性物品の外装体は、所定の上側伸縮部と、所定の下側伸縮部とを備えるとともに、下側伸縮部と、外側シートとが連結していない非連結部を有する。従って、当該非連結部において、下側伸縮部が、外側シートの剛性の影響を受けにくく、上記吸収性物品が、着用時のフィット性に優れる。さらに、上記吸収性物品では、上記非連結部において、外側シートが、下側伸縮部の収縮に伴う皺を有しにくく、上記吸収性物品は、外側シートの美観に優れ、外観の設計の自由度に優れる。
【００２０】
［態様４］
上記吸収性物品が、腹側部及び背側部と、上記胴周り開口部及び一対の脚周り開口部との間に、上記腹側部及び背側部を接合している一対の接合部を有する、請求項３に記載の吸収性物品。
上記吸収性物品は、態様３と同様の効果を有する。
【００２１】
［態様５］
上記内側シートが、上記吸収性物品の両側部且つ上記腹側部及び背側部に含まれる範囲内に、上記下側伸縮部を少なくとも有し、上記外装体が、上記範囲内に、上記周囲方向に延びる上記非連結部を含む、請求項４に記載の吸収性物品。
【００２２】
一般に、吸収性物品は、両側部に、内装体、特に吸収体を有しないため、吸収性物品の両側部において、下側伸縮部が、外側シートに連結されていると、外側シートに皺が形成されやすい傾向にある。上記吸収性物品の外装体は、上記所定の範囲内に、下側伸縮部と、外側シートとが連結していない、上記周囲方向に延びる非連結部を有するため、上記所定の範囲内に、非連結部を有しない場合（上記所定の範囲内で、下側伸縮部と、外側シートとが連結している非連結部を有する場合）と比較して、上記所定の範囲において、外側シートに皺が形成されにくく、上記吸収性物品が、外観の設計の自由度に優れる。
【００２３】
［態様６］
上記外装体が、上記外側シート及び上記内側シートが、上記内側シート固定部と、上記厚さ方向に重複する範囲において、直接又は間接的に連結している連結部を有する、請求項３〜５のいずれか一項に記載の吸収性物品。
上記吸収性物品の外装体は、外側シート及び内側シートが、内側シート固定部と、吸収性物品の厚さ方向に重複する範囲において、直接又は間接的に連結している連結部を有する。内側シートは、内側シート固定部により内装体が固定されている範囲内では収縮しにくく、皺が生じにくい。従って、外側シートが、当該範囲内で内側シートに連結していても、外側シートに皺が生じにくく、外装体、ひいては吸収性物品が、外側シートの美観に優れる。
【００２４】
［態様７］
上記腹側部及び背側部において、上記内側シートが、上記上側伸縮部を除いて、上記外側シートに接合されていない、請求項４又は５に記載の吸収性物品。
上記吸収性物品では、内側シートが、上側伸縮部を除いて、外側シートに接合されていないので、外側シートに皺が形成されにくく、上記吸収性物品は、外観の設計の自由度に優れる。
【００２５】
［態様８］
上記胴周り領域において、上記一対の内側シート固定部により、上記内装体の上記吸収体が、上記下側伸縮部に固定されている、請求項３〜７のいずれか一項に記載の吸収性物品。
上記吸収性物品では、胴周り領域において、一対の内側シート固定部により、内装体の吸収体が、下側伸縮部に固定されているので、着用時に、吸収体が、下側伸縮部により着用者のウエストに固定されやすく、吸収性物品がずれ落ちにくくなり、上記吸収性物品が、着用時のフィット性に優れる。
【００２６】
［態様９］
上記下側伸縮部と、上記吸収体とが、上記厚さ方向に重複する範囲における、上記下側伸縮部の収縮力が、上記下側伸縮部と、上記吸収体とが、上記厚さ方向に重複しない範囲における、上記下側伸縮部の収縮力よりも弱い、請求項８に記載の吸収性物品。
上記吸収性物品では、吸収体と重複する範囲における下側伸縮部の収縮力が、吸収体と重複しない範囲における下側伸縮部の収縮力よりも弱いので、吸収体がその平面方向に圧縮されにくくなり、吸収性物品が、その外観に優れ、そして吸収すべき液体が漏れにくい。
【００２７】
［態様１０］
上記吸収性物品が、上記内装体を上記外側シートに固定する外側シート固定部を有し、上記一対の内側シート固定部のそれぞれと、上記外側シート固定部とが、離間している、請求項３〜９のいずれか一項に記載の吸収性物品。
【００２８】
上記吸収性物品では、一対の内側シート固定部のそれぞれと、外側シート固定部とが、離間している。従って、上記吸収性物品では、内側シートと、外側シートとが、お互いに影響を受けにくく、外側シートは、内側シートの影響を受けにくく、美観に優れ、そして内側シートの下側伸縮部が、外側シートの影響を受けにくく、伸縮機能を発揮することができる。
【００２９】
［態様１１］
上記外側シートの、上記下側伸縮部と、上記厚さ方向に重複する部分が、上記下側伸縮部よりも収縮しにくい、請求項３〜１０のいずれか一項に記載の吸収性物品。
上記吸収性物品では、外側シートの、下側伸縮部と、吸収性物品の厚さ方向に重複する部分が、下側伸縮部よりも収縮しにくいので、上記重複する部分が下側伸縮部に固定されている場合と比較して、外側シートの皺が少なくなり、上記吸収性物品がその外観に優れる。
【００３０】
［態様１２］
上記吸収性物品が、上記内装体を、上記内装体の長手方向の少なくとも一方の端部が、上記外装体の上記外側シート及び上記中間シートの間に配置されるように備えている、請求項１〜１１のいずれか一項に記載の吸収性物品。
上記吸収性物品は、内装体を、その長手方向の少なくとも一方の端部が、外装体の外側シート及び内側シートの間に存在するように備えているので、着用時に、内装体の、外装体の外側シート及び内側シートの間に配置されている端部が、着用者に当たりにくい。従って、上記吸収性物品は、着用感に優れる。
【００３１】
［態様１３］
上記吸収性物品が、上記内装体を、上記内装体の長手方向の少なくとも一方の端部が、上記外装体の上記内側シートよりも内側に存在するように備えている、請求項１〜１２のいずれか一項に記載の吸収性物品。
上記吸収性物品は、内装体を、その長手方向の少なくとも一方の端部が、外装体の内側シートよりも内側に存在するように備えているので、着用時に、内装体の、外装体の内側シートよりも内側に存在する端部が、着用者の体から離れにくい。従って、上記吸収性物品は、耐漏れ性に優れる。
【００３２】
［態様１４］
上記外側シートが模様を有する、請求項１〜１３のいずれか一項に記載の吸収性物品。
上記吸収性物品は、外側シートに皺が形成されにくいので、外側シートが有する模様が、吸収性物品の外部から視認しやすい。
【００３３】
［態様１５］
請求項３〜１１のいずれか一項に記載の吸収性物品の製造方法であって、
単一のシートを、上記下側弾性部材を間に挟んで折り畳むことにより、上記シートに、上記中間シートを画定するとともに、上記下側伸縮部を形成するステップ、そして
上記下側伸縮部を有するシートを、上記上側弾性部材を間に挟んで折り畳むことにより、上記下側伸縮部を有するシートに、上記内側シート及び外側シートを画定するとともに、上記上側伸縮部を形成するステップ、
を含むことを特徴とする、上記製造方法。
上記製造方法は、上述の効果を有する吸収性物品を製造することができる。また、上述の効果を有する吸収性物品を簡易に製造することができる。
【００３４】
＜パンツ型の吸収性物品＞
本開示の、パンツ型の吸収性物品について、以下、詳細に説明する。
図１〜図８は、本開示の実施形態の１つ（第１実施形態）に従う、パンツ型の吸収性物品、具体的には、パンツ型の使い捨ておむつを説明するための図である。
【００３５】
具体的には、図１及び図２は、それぞれ、パンツ型の吸収性物品１の腹側部５側の斜視図及び背側部６側の斜視図である。図３は、図１のＩＩＩ−ＩＩＩ端面における端面図である。図４は、パンツ型の吸収性物品１の外面の展開図である。図５は、パンツ型の吸収性物品１の内面の展開図である。図６は、下側弾性部材３０の収縮力を説明するための図である。図７は、図４のＶＩＩ−ＶＩＩ端面における端面図である。図８は、パンツ型の吸収性物品１における、内側シート固定部３１及び外側シート固定部３３を説明するための図である。なお、図３及び図７は、構成部材間の関係が分かるように模式的に記載されている。
なお、第１実施形態に従う吸収性物品の外装体４は、補助シート１０７、補助シート１０７と、外側シート２１との間の一対の脚周り弾性部材１０１（１０１ａ，１０１ｂ）等を有するが、詳細な説明は省略する。
【００３６】
第１実施形態に従う、パンツ型の吸収性物品１は、吸収体１７を有する内装体３と、胴周り開口部９及び一対の脚周り開口部１１を有する外装体４とを備える。パンツ型の吸収性物品１は、丈方向Ｌと、周囲方向Ｐと、厚さ方向Ｔとを有する。パンツ型の吸収性物品１は、一対の脚周り開口部１１，１２の間のクロッチ領域１３と、クロッチ領域１３の丈方向Ｌの上側に隣接し且つ一対の接合部７（７ａ，７ｂ）を間に挟んで周囲方向Ｐに一周する胴周り領域１５とに区画される。
【００３７】
パンツ型の吸収性物品１は、腹側部５及び背側部６と、腹側部５及び背側部６を一体化することにより形成され、そしてそれらを接合している、一対の接合部７（７ａ，７ｂ）と、胴周り開口部９と、一対の脚周り開口部１１（１１ａ，１１ｂ）とを有する。なお、一対の接合部７ａ及び一対の接合部７ｂは、それぞれ、着用者の右側及び左側に配置されている。一対の脚周り開口部１１ａ及び一対の脚周り開口部１１ｂもまた、それぞれ、着用者の右側及び左側に配置されている。
【００３８】
図４及び図５に示されるように、パンツ型の吸収性物品１は、展開状態において、長手方向と、幅方向とを有し、長手方向が、丈方向Ｌに相当する。パンツ型の吸収性物品１の外装体４は、展開状態において、長手方向の両側部の中央に、幅方向に窪む、一対の窪み部を有し、いわゆる、砂時計形状を有する。なお、上記一対の窪み部は、一対の脚周り開口部１１ａ，１１ｂを形成する。
【００３９】
図５に示されるように、パンツ型の吸収性物品１は、長手方向を有する内装体３を備え、内装体３は、その長手方向が、パンツ型の吸収性物品１の外装体４の、展開状態における長手方向と一致するように、そして一対の脚周り開口部１１ａ，１１ｂを形成する一対の窪み部の間に配置されている。
【００４０】
内装体３は、着用者の肌側に存在し、肌当接面を形成する液透過性層（図示せず）と、着衣側に存在する液不透過性層（図示せず）と、それらの間の吸収体１７と、一対の防漏壁１０３（１０３ａ，１０３ｂ）とを備えるが、図面では、便宜上、内装体３を、１つの部材として表現する場合がある。
なお、展開状態における、内装体３の外縁と、吸収体１７の外縁とは、ほぼ一致している。
【００４１】
図３及び図７に示されるように、パンツ型の吸収性物品１の外装体４は、胴周り領域１５において、胴周り開口部９から、丈方向Ｌの下方に延び且つ胴周り領域１５内に配置された、最も内側に配置され且つ肌当接面を形成する内側シート２３と、最も外側に配置され且つ外面を形成する外側シート２１と、内側シート２３及び外側シート２１の間の中間シート２５とを有する。
【００４２】
具体的には、パンツ型の吸収性物品１の外装体４は、胴周り領域１５の腹側部５において、胴周り開口部９から、丈方向Ｌの下方に延び且つ胴周り領域１５内に配置された、最も内側に配置され且つ肌当接面を形成する内側シート２３ａと、最も外側に配置され且つ外面を形成する外側シート２１ａと、内側シート２３ａ及び外側シート２１ａの間の中間シート２５ａとを有する。同様に、パンツ型の吸収性物品１は、胴周り領域１５の背側部６において、胴周り開口部９から、丈方向Ｌの下方に延び且つ胴周り領域１５内に配置された、最も内側に配置され且つ肌当接面を形成する内側シート２３ｂと、最も外側に配置され且つ外面を形成する外側シート２１ｂと、内側シート２３ｂ及び外側シート２１ｂの間の中間シート２５ｂとを有する。
【００４３】
図３及び図７に示されるように、パンツ型の吸収性物品１の外装体４において、外側シート２１が、胴周り開口部９のところで、内側シート２３から折り返されており、中間シート２５が、内側シート２３の、胴周り開口部９を形成する端縁と反対側の端縁１０のところで、内側シート２３から折り返されている。
【００４４】
具体的には、パンツ型の吸収性物品１の外装体４の腹側部５において、外側シート２１ａが、胴周り開口部９のところで、内側シート２３ａから折り返されており、中間シート２５ａが、内側シート２３ａの、胴周り開口部９を形成する端縁と反対側の端縁１０ａのところで、内側シート２３ａから折り返されている。同様に、パンツ型の吸収性物品１の背側部６において、外側シート２１ｂが、胴周り開口部９のところで、内側シート２３ｂから折り返されており、中間シート２５ｂが、内側シート２３ｂの、胴周り開口部９を形成する端縁と反対側の端縁１０ｂのところで、内側シート２３ｂから折り返されている。
【００４５】
図３及び図７に示されるように、パンツ型の吸収性物品１の外装体４の腹側部５において、外側シート２１ａ、内側シート２３ｂ及び中間シート２５ａは、単一のシートからなり、そして巻三折状態で折り畳まれている。また、パンツ型の吸収性物品１の背側部６において、外側シート２１ｂ、内側シート２３ｂ及び中間シート２５ｂは、単一のシートからなり、そして巻三折状態で折り畳まれている。
パンツ型の吸収性物品１の外装体４において、外側シート２１ａと、外側シート２１ｂとは繋がっていることから、外側シート２１、内側シート２３及び中間シート２５は、単一のシートからなり、そして２つの巻三折構造を含む。
【００４６】
パンツ型の吸収性物品１の外装体４は、外側シート２１及び内側シート２３の間且つ胴周り開口部９の近傍に、周囲方向Ｐに延び、上側伸縮部２７から構成される上側弾性部材２８を備える。具体的には、パンツ型の吸収性物品１の外装体４は、腹側部５において、外側シート２１ａ及び内側シート２３ａの間且つ胴周り開口部９の近傍に、周囲方向Ｐに延び、上側弾性部材２８ａから構成される、上側弾性部材２８ａを備える。同様に、パンツ型の吸収性物品１の外装体４は、背側部６において、外側シート２１ｂ及び内側シート２３ｂの間且つ胴周り開口部９の近傍に、周囲方向Ｐに延び、上側弾性部材２８ｂから構成される、上側弾性部材２８ｂを備える。
【００４７】
パンツ型の吸収性物品１は、内側シート２３及び中間シート２５の間且つ内側シート２３の端縁１０の近傍に、周囲方向Ｐに延び、下側弾性部材３０から構成される、下側弾性部材３０を備える。下側伸縮部２９は、上側伸縮部２７よりも、丈方向Ｌの下側に配置されている。
【００４８】
具体的には、パンツ型の吸収性物品１は、腹側部５において、内側シート２３ａ及び中間シート２５ａの間且つ内側シート２３ａの端縁１０ａの近傍に、周囲方向Ｐに延び、下側弾性部材３０ａから構成される、下側弾性部材３０ａを備える。同様に、パンツ型の吸収性物品１は、背側部６において、内側シート２３ｂ及び中間シート２５ｂの間且つ内側シート２３ｂの端縁１０ａの近傍に、周囲方向Ｐに延び、下側弾性部材３０ｂから構成される、下側弾性部材３０ｂを備える。
【００４９】
上側弾性部材２８（２８ａ，２８ｂ）は、複数本の糸状ゴムから成り、接着剤により、内側シート２３（２３ａ，２３ｂ）と、外側シート２１（２１ａ，２１ｂ）とに固定されている。具体的には、上側弾性部材２８（２８ａ，２８ｂ）は、伸長状態で、不織布である内側シート２３（２３ａ，２３ｂ）と、外側シート２１（２１ａ，２１ｂ）に、接着剤により固定されている。そうすることにより、着用時に、上側弾性部材２８（２８ａ，２８ｂ）が、収縮力を示し、パンツ型の吸収性物品１を、着用者の体にフィットさせることができる。
【００５０】
下側弾性部材３０（３０ａ，３０ｂ）は、複数本の糸状ゴムから成り、接着剤により、内側シート２３（２３ａ，２３ｂ）と、中間シート２５（２５ａ，２５ｂ）とに固定されている。具体的には、下側弾性部材３０（３０ａ，３０ｂ）は、伸長状態で、不織布である内側シート２３（２３ａ，２３ｂ）と、中間シート２５（２５ａ，２５ｂ）に、接着剤により固定されており、そうすることにより、着用時に、下側弾性部材３０（３０ａ，３０ｂ）が、収縮力を示し、パンツ型の吸収性物品１、特に内装体３を、着用者の体にフィットさせることができる。
【００５１】
パンツ型の吸収性物品１は、胴周り領域１５において、内装体３の長手方向端縁３ａを含む端部及び長手方向端縁３ｂを含む端部を、それぞれ、内側シート２３ａ及び内側シート２３ｂに固定する、一対の内側シート固定部３１ａ及び内側シート固定部３１ｂを有する。換言すると、内装体３の長手方向端縁３ａを含む端部及び長手方向端縁３ｂを含む端部が、それぞれ、一対の内側シート固定部３１ａ及び内側シート固定部３１ｂを介して、一対の内側シート２３ａ及び内側シート２３ｂに固定されている。
【００５２】
具体的には、パンツ型の吸収性物品１は、胴周り領域１５において、内装体３を、内側シート２３ａの下側伸縮部２９ａ及び内側シート２３ｂの下側伸縮部２９ｂにそれぞれ固定する、内側シート固定部３１ａ及び内側シート固定部３１ｂを有する。具体的には、内装体３の長手方向端縁３ａを含む端部及び長手方向端縁３ｂを含む端部が、それぞれ、内側シート固定部３１ａ及び内側シート固定部３１ｂを介して、内側シート２３ａの下側伸縮部２９ａ及び内側シート２３ｂの下側伸縮部２９ｂに固定されている。
なお、一対の内側シート固定部３１は、腹側部５に配置された内側シート固定部３１ａと、背側部６に配置された内側シート固定部３１ｂとに区画される。
【００５３】
パンツ型の吸収性物品１の外装体４は、腹側部５において、下側伸縮部２９ａと、外側シート２１ａとが連結していない、周囲方向Ｐに延びる非連結部３５ａを、腹側部５全体に有する。また、パンツ型の吸収性物品１の外装体４は、背側部６において、下側伸縮部２９ｂと、外側シート２１ｂとが連結していない、周囲方向Ｐに延びる非連結部３５ｂを、背側部６全体に有する。
【００５４】
図１２及び図１３は、それぞれ、従来のパンツ型の吸収性物品３０１、具体的には、使い捨ておむつの腹側部３０５側及び背側部３０６側の斜視図である。
従来のパンツ型の吸収性物品３０１は、腹側部３０５と、背側部３０６と、腹側部３０５及び背側部３０６を接合する接合部３０７（３０７ａ，３０７ｂ）を有し、胴周り開口部３０９と、一対の脚周り開口部３１１（３１１ａ，３１１ｂ）を有し、そして丈方向Ｌ及び周囲方向Ｐを有する。従来のパンツ型の吸収性物品３０１は、胴周り領域３１５と、クロッチ領域３１３とに区画される。
【００５５】
また、従来のパンツ型の吸収性物品３０１は、本開示の吸収性物品と同様に、外側シート３２１（３２１ａ，３２１ｂ）及び内側シート（図示せず）、上側伸縮部３２７（３２７ａ，３２７ｂ）、上側弾性部材３２８（３２８ａ，３２８ｂ）、下側伸縮部３２９（３２９ａ，３２９ｂ）、下側弾性部材３３０（３３０ａ，３３０ｂ）等を有する。
【００５６】
従来のパンツ型の吸収性物品３０１は、図１２に示されるように、腹側部３０５において、外側シート３２１ａと、内側シート（図示せず）とが、下側弾性部材３３０ａを間に挟んで連結されているため、下側弾性部材３３０ａ（下側伸縮部３２９ａ）の収縮に伴い、外側シート３２１ａに、丈方向Ｌに沿った複数の皺が発生し、外観の美観の観点から改善の余地がある。
同様に、図１３に示されるように、腹側部３０５において、外側シート３２１ｂと、内側シート（図示せず）とが、下側弾性部材３３０ｂを間に挟んで連結されているため、下側弾性部材３３０ｂ（下側伸縮部３２９ｂ）の収縮に伴い、外側シート３２１ｂに、丈方向Ｌに沿った複数の皺が発生し、外観の美観の観点から改善の余地がある。
【００５７】
一方、第１実施形態に従う、パンツ型の吸収性物品１の外装体４は、腹側部５において、非連結部３５ａを有することから、図１に示されるように、外側シート２１ａが、下側伸縮部２９ａの収縮に伴う皺を有しにくく、外装体４、ひいてはパンツ型の吸収性物品１は、外観、特に外側シート２１ａの外観に優れる。同様に、パンツ型の吸収性物品１の外装体４は、背側部６において、非連結部３５ｂを有することから、図２に示されるように、外側シート２１ｂが、下側伸縮部２９ｂの収縮に伴う皺を有しにくく、外装体４、ひいてはパンツ型の吸収性物品１が、外観、特に、外側シート２１ｂの外観に優れる。
第１実施形態に従う、パンツ型の使い捨ておむつ１は、胴周り領域１５に縦皺が少なく、従来のパンツ型の吸収性物品３０１と比較して、肌着に近い外観を有する。
【００５８】
図６は、下側弾性部材３０（３０ａ，３０ｂ）の収縮性を説明するための図である。図６に示されるように、腹側部５において、下側弾性部材３０ａ（下側伸縮部２９ａ）と、吸収体１７とが、吸収性物品１の厚さ方向に重複する範囲における、下側弾性部材３０ａ'（下側伸縮部２９ａ'）の収縮力が、下側弾性部材３０ａ（下側伸縮部２９ａ）と、吸収体１７とが、吸収性物品１の厚さ方向に重複しない範囲における、下側弾性部材３０ａ''（下側伸縮部２９ａ''）の収縮力よりも弱い。そうすることにより、下側弾性部材３０ａ'（下側伸縮部２９ａ'）の収縮力の弱さにより、吸収体１７、特に吸収体１７の、長手方向の前方の端縁である長手方向端縁１７ａが、その平面方向、特に、その幅方向に圧縮されにくくなり、吸収性物品１が、その外観に優れ、そして吸収すべき液体が漏れにくくなる。
【００５９】
同様に、背側部６において、下側弾性部材３０ｂ（下側伸縮部２９ｂ）と、吸収体１７とが、吸収性物品１の厚さ方向に重複する範囲における、下側弾性部材３０ｂ'（下側伸縮部２９ｂ'）の収縮力が、下側弾性部材３０ｂ（下側伸縮部２９ｂ）と、吸収体１７とが、吸収性物品１の厚さ方向に重複しない範囲における、下側弾性部材３０ｂ''（下側伸縮部２９ｂ''）の収縮力よりも弱い。そうすることにより、下側弾性部材３０ｂ'（下側伸縮部２９ｂ'）の収縮力の弱さにより、吸収体１７、特に吸収体１７の、長手方向の後方の端縁である長手方向端縁１７ｂが、その平面方向、特に、その幅方向に圧縮されにくくなり、吸収性物品１が、その外観に優れ、そして吸収すべき液体が漏れにくくなる。
【００６０】
第１実施形態に従う吸収性物品１は、腹側部５の胴周り領域１５において、内装体３を、内装体３の長手方向端縁３ａが、外側シート２１ａと、中間シート２５ａとの間に配置されるように備えている。そうすることにより、着用時に、内装体３の長手方向端縁３ａが、着用者に直接触れないため、吸収性物品１が、着用感に優れる。また、着用時に、内装体３の長手方向端縁３ａが、着用者の体から離れにくくなり、吸収した液体が、内装体３の長手方向端縁３ａ側から漏れにくくなる。
【００６１】
同様に、第１実施形態に従う吸収性物品１は、背側部６の胴周り領域１５において、内装体３を、内装体３の長手方向端縁３ｂが、外側シート２１ｂと、中間シート２５ｂとの間に配置されるように備えている。そうすることにより、着用時に、内装体３の長手方向端縁３ｂが、着用者に直接触れないため、吸収性物品１が、着用感に優れる。また、着用時に、内装体３の長手方向端縁３ｂが、着用者の体から離れにくくなり、吸収した液体が、内装体３の長手方向端縁３ｂ側から漏れにくくなる。
【００６２】
第１実施形態に従う吸収性物品１では、内装体３が、その長手方向端縁３ａ側の内側シート固定部３１ａと、その長手方向端縁３ｂ側の内側シート固定部３１ｂとの間に配置された外側シート固定部３３により、外装体４の外側シート２１に固定されている。なお、外側シート固定部３３は、内装体３を基準として、内側シート固定部３１ａ及び内側シート固定部３１ｂと反対側に配置されている。すなわち、外側シート固定部３３は、内装体３の外側に配置されており、そして内側シート固定部３１ａ及び内側シート固定部３１ｂは、内装体３の内側に配置されている。
【００６３】
図８に示されるように、腹側部５において、外側シート固定部３３と、内装体３の長手方向端縁３ａ側の内側シート固定部３１ａとの間の距離（丈方向Ｌの距離）：Ｄ1は、クロッチ領域１３の、丈方向Ｌの高さ：Ｈの約５％である。そうすることにより、腹側部５において、内側シート２３ａと、外側シート２１ａとが、お互いに影響を受けにくくなり、具体的には、外側シート２１ａが、内側シート２３ａの影響を受けにくく、美観に優れ、そして内側シート２３ａの下側伸縮部２９ａが、外側シート２１ａの影響を受けにくく、下側伸縮部２９ａが伸縮機能を発揮することができる。また、腹側部５において、内装体３を、外側シート２１ａにしっかりと固定し、内装体３、特に吸収体１７のヨレを防止することができる。
【００６４】
同様に、背側部６において、外側シート固定部３３と、内装体３の長手方向端縁３ｂ側の内側シート固定部３１ｂとの間の距離（丈方向Ｌの距離）：Ｄ2は、クロッチ領域１３の、丈方向Ｌの高さ：Ｈの約２０％である。そうすることにより、背側部６において、内側シート２３ｂと、外側シート２１ｂとが、お互いに影響を受けにくくなり、具体的には、外側シート２１ｂが、内側シート２３ｂの影響を受けにくく、美観に優れ、そして内側シート２３ｂの下側伸縮部２９ｂが、外側シート２１ｂの影響を受けにくく、下側伸縮部２９ｂが伸縮機能を発揮することができる。背側部６の外側シート２１ｂは、腹側部５の外側シート２１ａよりも、一般的にその面積が大きく、そして着用者の脚の動きの影響を受けにくいことから、背側部６における上記距離：Ｄ2を、腹側部５における上記：Ｄ1よりも大きくすることにより、吸収性物品１が美観に優れる傾向にある。
【００６５】
第１実施形態に従う吸収性物品１では、腹側部５において、外側シート２１ａの、下側伸縮部２９ａと、吸収性物品１の厚さ方向Ｔに重複する部分が、下側伸縮部２９ａよりも収縮しにくい。同様に、第１実施形態に従う吸収性物品１では、背側部６において、外側シート２１ｂの、下側伸縮部２９ｂと、吸収性物品１の厚さ方向Ｔに重複する部分が、下側伸縮部２９ｂよりも収縮しにくい。
【００６６】
そうすることにより、腹側部５において、外側シート２１ａが、下側伸縮部２９ａに固定されている場合と比較して、下側伸縮部２９ａが収縮した際に、外側シート２１ａに皺が形成されにくくなる。また、背側部６において、外側シート２１ｂが、下側伸縮部２９ｂに固定されている場合と比較して、下側伸縮部２９ｂが収縮した際に、外側シート２１ｂに皺が形成されにくくなる。
【００６７】
第１実施形態に従う吸収性物品１の外装体４は、腹側部５及び背側部６と、胴周り開口部９及び一対の脚周り開口部１１（１１ａ，１１ｂ）との間で、腹側部５及び背側部６を接合している一対の接合部７（７ａ，７ｂ）とを有するが、本開示の吸収性物品の外装体は、胴周り開口部と、一対の脚周り開口部との間に形成された、一対の接合部を有しなくともよい。
【００６８】
本開示の吸収性物品の外装体４が、上述の一対の接合部を有する実施形態では、当該一対の接合部は、胴周り開口部と、一対の脚周り開口部との間に形成されている限り、任意の位置に配置されることができ、そして一対の接合部は、例えば、吸収性物品の両側部、吸収性物品の腹側部、吸収性物品の背側部等に配置されることができる。
【００６９】
また、上記内側シートは、胴周り領域において周囲方向に延びており、そして胴周り領域において周囲方向に一周していることが好ましい。上側伸縮部及び下側伸縮部を、胴周り方向に一周させる観点からである。
なお、本開示の吸収性物品が、上述の、腹側部、背側部及び一対の接合部を有する場合には、上記内側シートは、腹側部及び背側部の胴周り領域において、一対の接合部を間に挟んで、周囲方向に一周していることが好ましい。上側伸縮部及び下側伸縮部を、一対の接合部を間に挟んで、胴周り方向に一周させる観点からである。
【００７０】
本開示の吸収性物品では、上側伸縮部は、胴周り領域において、吸収性物品の周囲方向に延びており、そして胴周り開口部に沿って、胴周り開口部の周囲に配置されていることが好ましい。吸収性物品のずれ落ちを防止する観点からである。
【００７１】
また、本開示の吸収性物品では、上側伸縮部は、胴周り領域において周囲方向に一周していることが好ましい。吸収性物品のずれ落ちを防止する観点からである。また、本開示の吸収性物品が、上述の、腹側部、背側部及び一対の接合部を有する場合には、上記上側伸縮部は、腹側部及び背側部の胴周り領域において、一対の接合部を間に挟んで、周囲方向に一周していることが好ましい。吸収性物品のずれ落ちを防止する観点からである。
【００７２】
本開示の吸収性物品では、下側伸縮部は、胴周り領域において、吸収性物品の周囲方向に延びており、そして胴周り領域の下端に、胴周り領域の下端に沿って配置されていることが好ましい。内装体を着用者に密着させる観点からである。
【００７３】
なお、本開示の吸収性物品が、上述の、腹側部、背側部及び一対の接合部を有する場合には、下側伸縮部は、胴周り領域且つ腹側部及び背側部において、一対の接合部を間に挟んで、吸収体と、吸収性物品の厚さ方向に重複する範囲を除いて、周囲方向に一周していることが好ましい。吸収体を着用者に密着させつつ、吸収体が、平面方向に圧縮され、よれることを防止する観点からである。
【００７４】
本開示の吸収性物品では、上側伸縮部と、下側伸縮部とは、第１実施形態に従う吸収性物品１のように、所定の距離だけ離間されていてもよく、そして上側伸縮部と、下側伸縮部とは、離間されずに連続していてもよい。
【００７５】
本開示の吸収性物品の外装体において、外側シートの下端は、特に制限されず、下端が存在しないくともよい。外側シートが下端を有する場合には、外側シートの下端は、内側シートの下端よりも下側に存在することが好ましく、そしてクロッチ部に存在することがより好ましい。外側シートが内側シートの全体を覆うことで、吸収性物品が外観に優れるからである。外側シートが下端を有しない例としては、第１実施形態に従う吸収性物品１のように、前方の外側シート（例えば、腹側部の外側シート）と、後方の外側シート（例えば、背側部の外側シート）とが、クロッチ部を覆っており、そしてクロッチ部にて連結されている例が挙げられる。
【００７６】
また、上記外側シートは、胴周り領域において周囲方向に延びており、そして胴周り領域において周囲方向に一周していることが好ましい。なお、本開示の吸収性物品の外装体が、上述の、腹側部、背側部及び一対の接合部を有する場合には、上記外側シートは、胴周り領域且つ腹側部及び背側部において、一対の接合部を間に挟んで、周囲方向に一周していることが好ましい。
【００７７】
第１実施形態に従う吸収性物品１では、腹側部５の胴周り領域１５において、吸収性物品１が、内装体３を、内装体３の長手方向端縁３ａが、外側シート２１ａと、中間シート２５ａの間に配置されるように備えており、そして内装体３の長手方向端縁３ｂが、外側シート２１ｂと、中間シート２５ｂの間に配置されるように備えているが、本開示の吸収性物品では、内装体が、内側シートに固定されていれば、内装体と、外装体の内側シートとの間における、内側及び外側の位置関係は、特に制限されない。
【００７８】
図９は、本開示の別の実施形態（第２実施形態）に従う、パンツ型の吸収性物品１を説明するための図であり、図７に相当する図である。第２実施形態に従う吸収性物品１では、胴周り領域１５において、具体的には、腹側部５の胴周り領域１５において、吸収性物品１が、内装体３を、内装体３の長手方向端縁３ａが、内側シート２３ａよりも内側に存在するように備えている。同様に、背側部６の胴周り領域１５において、吸収性物品１が、内装体３を、内装体３の長手方向端縁３ｂが、内側シート２３ｂよりも内側に存在するように備えている。そうすることにより、内装体３の長手方向端縁３ａ及び長手方向端縁３ｂが着用者に当たりにくくなり、吸収性物品１が、着用感に優れる。第２実施形態に従う吸収性物品１は、内装体３と、内側シート２３との位置関係以外は、第１実施形態に従う吸収性物品と同様であるので、説明を省略する。
【００７９】
第１実施形態に従う吸収性物品１では、上側伸縮部２７が、複数本の糸状ゴムである、上側弾性部材２８により構成されており、そして下側伸縮部２９が、複数本の糸状ゴムである下側弾性部材３０により構成されているが、本開示の吸収性物品では、上側伸縮部及び下側伸縮部のそれぞれは、上記実施形態に限定されない。
【００８０】
本開示の吸収性物品では、上側伸縮部及び下側伸縮部を構成する、それぞれ、上側伸縮部材及び下側伸縮部材としては、例えば、糸状ゴム、平ゴム、伸縮性不織布、伸縮性フィルム等が挙げられる。本開示の吸収性物品の外装体では、外側シート、内側シート及び中間シートとしては、特に制限されず、布帛、例えば、不織布（例えば、非伸縮性不織布）、織布、編物、並びにフィルムが挙げられる。
上記上側伸縮部材及び下側伸縮部材のそれぞれは、伸長状態で、外側シート、内側シート及び中間シートを構成するシートに固定されるのが一般的である。
【００８１】
第１実施形態に従う吸収性物品１では、外装体４が、腹側部５において、下側伸縮部２９ａと、外側シート２１ａとが連結していない、周囲方向Ｐに延びる非連結部３５ａを、腹側部５全体に有していたが、本開示の別の実施形態に従う吸収性物品では、外装体が、外側シート及び内側シートが、内側シート固定部と、吸収性物品の厚さ方向に重複する範囲内において、直接又は間接的に連結している連結部を有する。
【００８２】
図１０は、本開示の別の実施形態（第３実施形態）に従う吸収性物品１を説明するための図であり、図９に相当する図である。第３実施形態に従う吸収性物品１の外装体４では、腹側部５の外側シート２１ａと、背側部６の外側シート２１ｂとのそれぞれが、胴回り領域１５内に存在する。従って、腹側部５の外側シート２１ａと、背側部６の外側シート２１ｂが、クロッチ領域１３において連結していない。
【００８３】
第３実施形態に従う吸収性物品１では、外装体４が、腹側部５において、外側シート２１ａの下端領域２２ａが、内側シート固定部３１ａと厚さ方向Ｔに重複する範囲内において、固定部３７ａにより、中間シート２５ａ及び下側弾性部材３０ａを間に挟んで、
内側シート２３ａと連結している連結部３６ａを有する。
【００８４】
同様に、外装体４は、背側部６において、外側シート２１ｂの下端領域２２ｂが、内側シート固定部３１ｂと厚さ方向Ｔに重複する範囲内において、固定部３７ｂにより、中間シート２５ｂ及び下側弾性部材３０ｂを間に挟んで、内側シート２３ｂと連結している連結部３６ｂを有する。
【００８５】
そうすることにより、外側シート２１（２１ａ，２１ｂ）の下端領域２２（２２ａ，２２ｂ）が、連結部３６（３６ａ，３６ｂ）の作用により、着用時にめくれ上がりにくくなり、吸収性物品１が、外側シート２１（２１ａ，２１ｂ）の美観に優れる。
なお、第３実施形態に従う吸収性物品１では、上述の点以外は、第２実施形態に従う吸収性物品と同様であるので、説明を省略する。
【００８６】
上述の、外装体が、外側シートと、下側伸縮部とが、吸収体と、吸収性物品の厚さ方向に重複する範囲内において連結している連結部を有する吸収性物品では、外装体が、外側シートと、下側伸縮部とが、吸収体と、吸収性物品の厚さ方向に重複していない範囲内において連結していない非連結部を有することが好ましい。本開示の効果の観点からである。
【００８７】
また、上述の、外装体が、外側シートと、下側伸縮部とが、吸収体と、吸収性物品の厚さ方向に重複する範囲内において連結している連結部を有する吸収性物品では、外側シートは、胴周り開口部と反対側の端縁が、下側伸縮部に固定されていることが好ましい。外側シートの端縁のめくれ上がりを防止する観点からである。また、上記外側シートの端縁は、胴回り領域に存在してもよく、そしてクロッチ領域に存在してもよい。
上述の、外装体が、外側シートと、下側伸縮部とが、吸収体と、吸収性物品の厚さ方向に重複する範囲内において連結している連結部を有する吸収性物品の例としては、いわゆる、３ピース型の使い捨ておむつが挙げられる。
【００８８】
第１実施形態に従う吸収性物品１の外装体４は、腹側部５全体及び背側部６全体に、下側伸縮部２９と、外側シート２１とが連結していない、周囲方向Ｐに延びる非連結部３５を有していたが、本開示の吸収性物品の外装体は、下側伸縮部と、外側シートとが連結していない、非連結部を、胴周り領域の少なくとも一部において有することができる。胴周り領域の少なくとも一部において非連結部を有することができれば、当該非連結部において、本開示の効果を発揮できるからである。
【００８９】
上記非連結部は、外装体の胴周り領域の両側部、例えば、腹側部の両側部及び背側部の両側部に配置されていることが好ましい。吸収性物品では、胴周り領域の両側部には、一般的に、内装体、特に吸収体が存在しないため、吸収性物品の両側部において、下側伸縮部が、外側シートに連結されていると、外側シートに皺が形成されやすい傾向にある。従って、上記吸収性物品の外装体が、胴周り領域の両側部において、上記非連結部を有することにより、胴周り領域の両側部において外側シートに皺が形成されにくく、上記吸収性物品が、外観の設計の自由度に優れる。
【００９０】
本開示の吸収性物品の外装体では、上記非連結部が、胴周り領域の全領域に配置されていることが好ましい。胴周り領域全体において、外側シートに皺が形成されにくくなり、上記吸収性物品が、外観の設計の自由度に優れるからである。
なお、本開示の吸収性物品の外装体では、非連結部において、下側伸縮部と、外側シートとが、連結していないことは、下側伸縮部と、外側シートとが、直接的又は間接的に連結していないことを意味する。従って、下側伸縮部と、外側シートとが、中間シートを間に挟んで間接的に連結している部分は、非連結部に含まれない。
【００９１】
第１実施形態では、内装体３が、内側シート固定部３１を介して、内側シート２３の下側伸縮部２９に固定されているが、本開示の吸収性物品では、内装体は、内側シートに固定されていればよく、下側伸縮部に固定されていなくともよい。本開示の効果の観点からである。
【００９２】
本開示の吸収性物品では、第１実施形態に従う吸収性物品１のように、下側伸縮部と、吸収体とが、吸収性物品の厚さ方向に重複する範囲における、下側伸縮部の収縮力が、下側伸縮部と、吸収体とが、吸収性物品の厚さ方向に重複しない範囲における、下側伸縮部の収縮力よりも弱いことが好ましい。吸収体がその平面方向に圧縮されにくくなり、吸収性物品が、その外観に優れ、そして吸収すべき液体が漏れにくいからである。
【００９３】
本開示の吸収性物品では、下側伸縮部は、吸収体と、吸収性物品の厚さ方向に重複する範囲において、実質的に収縮力を有しなくともよい。吸収体が、平面方向に圧縮され、よれることを防止する観点からである。
下側伸縮部が、吸収体と、吸収性物品の厚さ方向に重複する範囲において、実質的に収縮力を有する実施形態は、例えば、下側伸縮部を構成する下側弾性部材を、吸収体と重複する範囲内のいずれかの箇所において切断することが挙げられる。
【００９４】
本開示の吸収性物品では、第１実施形態に従う吸収性物品１のように、吸収性物品が、内装体を、外装体の外側シートに固定する外側シート固定部を有することが好ましい。使用時に、内装体、特に吸収体がよれにくくなり、吸収した液体が漏れにくくなるからである。
【００９５】
また、吸収性物品が、内装体を、外装体の外側シートに固定する外側シート固定部を有する実施形態では、腹側部及び／又は背側部において、内側シート固定部と、外側シート固定部とが、離間していることが好ましく、そしてクロッチ領域の丈方向長さの、より好ましくは２％、さらに好ましくは３％以上、そしてさらにいっそう好ましくは５％以上離間している。そうすることにより、内側シートと、外側シートとが、お互いに影響を受けにくく、外側シートは、内側シートの影響を受けにくく、美観に優れ、そして内側シートの下側伸縮部が、外側シートの影響を受けにくく、伸縮機能を発揮することができる。
【００９６】
また、吸収性物品が、内装体を、外装体の外側シートに固定する外側シート固定部を有する実施形態では、腹側部において、内側シート固定部と、外側シート固定部とが、クロッチ領域の丈方向長さの、好ましくは２０％以下、より好ましくは１５％以下、そしてさらに好ましくは１０％以下離間している。そうすることにより、内装体を、外側シートにしっかりと固定し、内装体、特に吸収体のヨレを防止することができる。
【００９７】
また、吸収性物品が、内装体を、外装体の外側シートに固定する外側シート固定部を有する実施形態では、背側部において、内側シート固定部と、外側シート固定部とが、離間していることが好ましく、そしてクロッチ領域の丈方向長さの、より好ましくは５％、さらに好ましくは１０％以上、そしてさらにいっそう好ましくは１５％以上離間している。そうすることにより、内側シートと、外側シートとが、お互いに影響を受けにくく、外側シートは、内側シートの影響を受けにくく、美観に優れ、そして内側シートの下側伸縮部が、外側シートの影響を受けにくく、伸縮機能を発揮することができる。なお、背側部の外側シートは、腹側部の外側シートよりも、一般的にその面積が大きく、そして着用者の脚の動きの影響を受けにくいことから、吸収性物品の美観に与える影響が大きい。
【００９８】
また、吸収性物品が、内装体を、外装体の外側シートに固定する外側シート固定部を有する実施形態では、背側部において、内側シート固定部と、外側シート固定部とが、クロッチ領域の丈方向長さの、好ましくは３０％以下、より好ましくは２６％以下、そしてさらに好ましくは２３％以下離間している。そうすることにより、内装体を、外側シートにしっかりと固定し、内装体、特に吸収体のヨレを防止することができる。
本明細書では、上記離間の度合いは、吸収性物品から内装体を取り出し、２０℃の恒温室で２４時間、自然状態に静置した状態で評価する。
【００９９】
本開示の吸収性物品では、第１実施形態に従う吸収性物品１のように、外側シートの、下側伸縮部と、吸収性物品の厚さ方向に重複する部分が、下側伸縮部よりも収縮しにくいことが好ましい。重複する部分が下側伸縮部に固定されている場合と比較して、外側シートの皺が少なくなり、上記吸収性物品がその外観に優れるからである。
【０１００】
本開示の吸収性物品では、外側シートが模様を有することができる。本開示の吸収性物品では、外側シートが、下側伸縮部の収縮に伴う皺を有しにくく、外観の設計の自由度に優れるため、外側シートが有する模様が、明確に認識されやすくなる。
外側シートが模様を有する例としては、外側シートそのものが模様を有する実施形態、外側シートの外側に模様を有するシートが貼付されている実施形態、外側シートの内側に、模様を有するシートが貼付されている実施形態が挙げられる。
【０１０１】
第１実施形態に従う吸収性物品１では、外装体４の腹側部５及び背側部６において、外側シート２１ａ、内側シート２３ｂ及び中間シート２５ａは、単一のシートから構成されているが、本開示の吸収性物品では、外側シートが胴周り開口部のところで内側シートから折り返されており且つ中間シートが内側シートの胴周り開口部を形成する端縁と反対側の端縁のところで内側シートから折り返されている限り、外側シート、内側シート及び中間シートは、単一のシートから構成されていなくともよい。
【０１０２】
具体的には、本開示の吸収性物品では、外側シート、内側シート及び／又は中間シートが、複数枚のシート、例えば、２枚の外側シート、２枚の内側シート、２枚の中間シート等から構成されていてもよい。
そのような実施形態としては、例えば、内側シートが、上方の第１内側シート及び下方の第２内側シートから構成されており、上方の第１内側シートが、その下端が外側に折り返された状態で、上方の第１内側シートの下端領域と、下方の第２内側シートの上端領域とが重複するように、そして上方の第１内側シートの下端領域が内側に配置され且つ下方の第２内側シートの上端領域が外側に配置されるように接合されているものが挙げられる。
【０１０３】
本開示の吸収性物品は、本開示の吸収性物品を参照した当業者であれば、当技術分野で公知の方法を組み合わせることにより製造することができるが、外側シートと、上側弾性部材及び下側弾性部材を有する内側シートとは、以下のように製造されうる。
【０１０４】
＜パンツ型の吸収性物品の製造方法＞
本開示の、パンツ型の吸収性物品の製造方法は、以下のステップを含む。
（ｉ）単一のシートを、下側伸縮部を構成する下側弾性部材を間に挟んで折り畳むことにより、上記シートに、中間シートを画定するとともに、下側伸縮部を形成するステップ
（ｉｉ）下側伸縮部を有するシートを、上側伸縮部を構成する上側弾性部材を間に挟んで折り畳むことにより、下側伸縮部を有するシートに、内側シート及び外側シートを画定するとともに、上記上側伸縮部を形成するステップ
【０１０５】
本開示の実施形態の１つ（第４実施形態）に従う、パンツ型の吸収性物品１の製造方法を、図１１を用いて説明する。なお、図１１に示される、パンツ型の吸収性物品１の製造方法により、第１実施形態に従う、パンツ型の吸収性物品１が製造される。
【０１０６】
搬送方向ＭＤに長い帯状のシート２０１を、搬送方向ＭＤに搬送しながら、帯状のシート２０１に、接着剤が塗工された、下側弾性部材を形成すべき弾性部材２０３（２０３ａ，２０３ｂ）を、伸長状態で貼付する。次いで、帯状のシート２０１の、幅方向ＣＤの両方の端部である、中間シートを形成すべき部分２２５ａ及び中間シートを形成すべき部分２２５ｂを、それぞれ、折軸Ｆ1a及びＦ1bで、内側シートを形成すべき部分２２３ａ及び内側シートを形成すべき部分２２３ｂの上に折りかえすことにより、計２回折り畳まれた帯状のシート２０１を形成する。脚周り弾性部材は、補助シートとともに、下側弾性部材を形成すべき弾性部材２０３（２０３ａ，２０３ｂ）を配置する前後に、適宜配置する。なお、２本の折軸Ｆ1a及びＦ1bは、搬送方向ＭＤと平行である。なお、下側弾性部材は、下側伸縮部を構成する。
【０１０７】
計２回折り畳まれた帯状のシート２０１の上に、その外面及び内面に、それぞれ、外側シート固定部及び内側シート固定部を備える内装体（図示せず）を配置する。次いで、内装体を有する計２回折り畳まれた帯状のシート２０１に、接着剤が塗工された、上側弾性部材を形成すべき弾性部材２０５（２０５ａ，２０５ｂ）を、伸長状態で貼付する。次いで、計２回折り畳まれた帯状のシート２０１の、幅方向ＣＤの両方の端部である、内側シートを形成すべき部分２２３ａ及び内側シートを形成すべき部分２２３ｂを、それぞれ、折軸Ｆ2a及びＦ2bで、内装体（図示せず）を間に挟んで、外側シートを形成すべき部分２２１ａ及び外側シートを形成すべき部分２１ｂの上に折り畳むことにより、内装体を有する計４回折り畳まれた帯状のシート２０１を形成する。次いで、内装体を有する計４回折り畳まれた帯状のシート２０１から、一対の脚周り開口部２１１（２１１ａ，２１１ｂ）部分をくりぬくことにより吸収性物品の連結体（図示せず）を形成する。なお、２本の折軸Ｆ2a及びＦ2bは、搬送方向ＭＤに平行である。なお、上側弾性部材は、上側伸縮部を構成する。
【０１０８】
吸収性物品の連結体（図示せず）を、幅方向ＣＤを略中心とし、搬送方向ＭＤに沿って延びる折軸Ｆ3で折り畳む。次いで、折り畳まれた吸収性物品の連結体（図示せず）の個々の吸収性物品において、腹側部及び背側部を連結することにより、一対の接合部を形成するとともに、個々の吸収性物品を切り出すことにより、本開示の吸収性物品が製造される。
【０１０９】
本開示の吸収性物品としては、パンツ型のものであれば、特に制限されず、パンツ型の使い捨ておむつ、例えば、子供用のトレーニングパンツ、大人用の使い捨ておむつ、使い捨てショーツ等が挙げられる。
【符号の説明】
【０１１０】
１    吸収性物品
３    内装体
３ａ，３ｂ    長手方向端縁
４    外装体
５    腹側部
６    背側部
７，７ａ，７ｂ    接合部
９    胴周り開口部
１０    端縁
１１，１１ａ，１１ｂ    脚周り開口部
１３    クロッチ領域
１５    胴周り領域
１７    吸収体
１７ａ，１７ｂ    長手方向端縁
２１，２１ａ，２１ｂ    外側シート
２２，２２ａ，２２ｂ    下端領域
２３，２３ａ，２３ｂ    内側シート
２５，２５ａ，２５ｂ    中間シート
２７，２７ａ，２７ｂ    上側伸縮部
２８，２８ａ，２８ｂ    上側弾性部材
２９，２９ａ，２９ｂ    下側伸縮部
３０，３０ａ，３０ｂ    下側弾性部材
３１，３１ａ，３１ｂ    内側シート固定部
３３    外側シート固定部
３５，３５ａ，３５ｂ    非連結部
３６，３６ａ，３６ｂ    連結部
３７，３７ａ，３７ｂ    固定部
Ｌ    丈方向
Ｐ    周囲方向
Ｔ    厚さ方向
【図１】
0006399996.tif 000002
【図２】
0006399996.tif 000003
【図３】
0006399996.tif 000004
【図４】
0006399996.tif 000005
【図５】
0006399996.tif 000006
【図６】
0006399996.tif 000007
【図７】
0006399996.tif 000008
【図８】
0006399996.tif 000009
【図９】
0006399996.tif 000010
【図１０】
0006399996.tif 000011
【図１１】
0006399996.tif 000012
【図１２】
0006399996.tif 000013
【図１３】
0006399996.tif 000014